(57)【特許請求の範囲】
【請求項１】
洗面ボウルの底部に排水孔を設け、上記排水孔の下方に有底筒状の排水筒を垂下し、排水孔に排水孔を開閉するケレップを設け、上記ケレップを上下動させるレリーズワイヤを排水筒の底部から導出すると共に洗面ボウルの周縁に配設した操作部に連結して形成した洗面台ユニットにおいて、上記レリーズワイヤの排水筒の底部から導出した部分の周囲を覆う筒状の保護カバーを排水筒の軸周りに回転自在に設け、保護カバーの側面に設けた切欠部にレリーズワイヤを嵌合固定させて保護カバーの側面からレリーズワイヤを突出させたことを特徴とする洗面台ユニット。
【発明の詳細な説明】
【０００１】
【発明の属する技術分野】
本発明は、洗面ボウルの排水孔を開閉するケレップをレリーズワイヤを介して操作部で操作する洗面台ユニットに関する発明である。
【０００２】
【従来の技術】
従来から、図３に示すように、洗面ボウル４の底部に排水孔５を設け、上記排水孔５の下方に有底筒状の排水筒３を垂下し、排水孔５に排水孔５を開閉するケレップ（図示せず）を設け、上記ケレップを上下動させるレリーズワイヤ２を排水筒３の底部から導出すると共に洗面ボウル４の周縁に配設した操作部７の下端部に連結して洗面台ユニットは形成されるが、キャビネット等の洗面化粧台に取り付ける施工作業を行う際には、予め工場などで製造組立てした上記洗面台ユニットを施工現場に運び込み、施工現場にて洗面化粧台に組み込ませるものである。
【０００３】
【発明が解決しようとする課題】
このような洗面台ユニットは、施工現場または搬送現場では床面などに直置きされたりするものである。このとき、洗面ボウル４の表面を上方に向けると共に排水筒３を下方に位置させた状態で洗面台ユニットを床面などに直置きをすると、排水筒３の底部から導出しているレリーズワイヤ２が排水筒３の底部と床面に挟まったりし、上記レリーズワイヤ２が折れ曲がってしまったりするという問題があった。そして、この折れ曲がったレリーズワイヤ２は、ケレップの排水孔５の開閉動作の動作不良やケレップの排水孔５の止水不良などを引き起こす原因となっていた。
【０００４】
本発明は上記の点に鑑みてなされたものであり、洗面台ユニットを排水筒を下方に位置させて床面などに直置きしてもレリーズワイヤが折れ曲がらないようにした洗面台ユニットを提供することを課題とするものである。
【０００５】
【課題を解決するための手段】
上記課題を解決するために本発明に係る洗面台ユニットは、洗面ボウル４の底部に排水孔５を設け、上記排水孔５の下方に有底筒状の排水筒３を垂下し、排水孔５に排水孔５を開閉するケレップ６を設け、上記ケレップ６を上下動させるレリーズワイヤ２を排水筒３の底部から導出すると共に洗面ボウル４の周縁に配設した操作部７に連結して形成した洗面台ユニットにおいて、上記レリーズワイヤ２の排水筒３の底部から導出した部分の周囲を覆う筒状の保護カバー１を排水筒３の軸周りに回転自在に設け、保護カバー１の側面に設けた切欠部８にレリーズワイヤ２を嵌合固定させて保護カバー１の側面からレリーズワイヤ２を突出させたことを特徴とする。これにより、洗面台ユニットを施工現場や搬送現場で床面に排水筒３を下方に位置させて直置きしたとしても、レリーズワイヤ２の排水筒３の底部から導出した部分の周囲を保護カバー１が覆うと共に上記保護カバー１の側面から上記レリーズワイヤ２が突出していることから、保護カバー１が床面に直接接触し、レリーズワイヤ２が床面と排水筒３の底部との間に挟まることを防ぐものであり、レリーズワイヤ２が折れ曲がって洗面台ユニットを破損することを回避することができるものである。
【０００６】
また、保護カバー１に設けた切欠部８によりレリーズワイヤ２を嵌合固定することで洗面台ユニットを搬送する際にレリーズワイヤ２が邪魔にならないような位置に固定することができるものである。
【０００８】
また、洗面台ユニットに設けた操作部７の位置が任意位置に配置されたものであっても、保護カバー１を排水筒３に対して排水筒３の軸周りに回転させ、上記操作部７の任意位置の方向に切欠部８を合わせることができるものであり、切欠部８に嵌合固定して操作部７に連結したレリーズワイヤ２にねじれ等の無理を生じさせるのを回避することができるものである。
【０００９】
【発明の実施の形態】
以下、本発明を添付図面に示す実施形態に基づいて説明する。
【００１０】
図１乃至２に本発明の実施の形態の例を示す。洗面台ユニットは、洗面ボウル４の底部に排水孔５を貫通し、上記排水孔５の下方に有底筒状の排水筒３を垂下し、排水孔５に排水孔５を開閉するケレップ６を配置し、上記ケレップ６を上下動させるレリーズワイヤ２を排水筒３の底部から導出すると共に洗面ボウル４の周縁に配設した操作部７の下端部に連結して形成されるものである。以下、詳述する。
【００１１】
洗面ボウル４は下方に凹形状をしており、その底面には洗面ボウル４の底面を貫通すると共に上面周縁に段部５ａを形成した排水孔５が上下に穿設されている。
【００１２】
排水筒３は、洗面ボウル４の排水孔５からの排水通路の一部を構成する円筒状ハウジングであり、上端には排水筒３の径方向に突出したフランジ部１２が形成され、排水筒３の上部では排水路９が側方から連結し、排水筒３の下部ではその側方に排水通路口１０が設けてある。上記フランジ部１２は洗面ボウル４の排水孔５の段部５ａに係止するものであり、排水筒３を排水孔５の下方に垂下させるように配置させるものである。ここで、上記排水路９は、洗面ボウル４の水溢れを防止するために洗面ボウル４の上部近傍に設けた排水通路であり、排水通路口１０は排水孔５及び排水路９を介して排水筒３の内部に流入した排水を排水させる排水管路（図示せず）を連結させる部分である。
【００１３】
この排水筒３は、上述したように、上端のフランジ部１２で排水孔５から垂下するように配置されるものであるが、上記排水孔５には排水孔５を開閉するケレップ６が設けられており、上記ケレップ６の下面からは連動棒１１を垂下して排水筒３の内部に挿通している。この連動棒１１は排水筒３の軸線上に排水筒３の上下に亘って延伸しているものであり、その下端でレリーズワイヤ２と連結している。ここで、レリーズワイヤ２と連動棒１１との連結は、有底筒状の排水筒３の底部を構成するレリーズホルダ１４を介して行われる。このレリーズホルダ１４は、排水筒３の底部に着脱自在に螺合するものであり、排水筒３の底部に蓋をするように円盤状に形成された基部１５、排水筒３の内面に螺合する円筒状に上記基部１５から上方に突出した嵌合部１６、上記排水筒３の軸中心に上記基部１５から上方に立設する円管形状のガイド部１７で構成されているものである。この円管状の上記ガイド部１７の内部には連動棒１１を上方から挿入し、上記ガイド部１７の下端で連動棒１１の下端が臨ませるものである。そして、この連動棒１１の下端にはレリーズワイヤ２が対向配置されるものである。ここで、レリーズワイヤ２はインナーケーブルと、インナーケーブルが内部に摺動自在に配置されるアウターケーシングと、で構成されるものであるが、ガイド部１７の下端に位置させるアウターケーシングの先端にフランジ状のストッパ部２ａを設け、連動棒１１の下端にレリーズワイヤ２のインナーケーブルの先端を当接させるようにガイド部１７の下端に上記ストッパ部２ａを挟持するようにキャップ２４が被嵌される。なお、図中１３は排水路９よりも下方位置の連動棒１１に装着される円盤状のネットで形成した髪毛取りネットである。
【００１４】
ここで、レリーズワイヤ２は、上述したようにレリーズワイヤ２の一端では排水筒３の底部に設けたレリーズホルダ１４のガイド部１７の下端に装着しているものであるが、レリーズワイヤ２の他方の一端では洗面ボウル４の周縁に上下に摺動自在に配設した操作部７の下端に連結しているものである。このように、上記操作部７と連動棒１１とをレリーズワイヤ２によって連結することで、操作部７を上下に摺動させるとレリーズワイヤ２のインナーケーブルが上記操作部７の摺動を連動棒１１に伝達し、上記連動棒１１及びケレップ６を上下に摺動させるものである。そして、上下に摺動するケレップ６は洗面ボウル４の排水孔５を開閉するものである。
【００１５】
上述した洗面台ユニットには排水筒３の底部に保護カバー１が装着される。保護カバー１は、図２に示すように、上下に開口した円筒状のカバー体であり、ここで、保護カバー１の上端部では側面上端から内方に係止片２１が突設すると共に、上記係止片２１で囲まれて上部開口２２が設けられており、また、保護カバー１の下端部では側面下端で囲まれて下部開口２３が設けられており、また、側面には側面下端から上方に切り欠いた切欠部８が穿設されている。この切欠部８は、その下部ではレリーズワイヤ２よりも細い矩形状の切欠が設けられ、その上部ではレリーズワイヤ２が嵌合するような円形状の切欠が設けられ、上記細い矩形上の切欠と円形状の切欠とが連結して形成されているものである。
【００１６】
上記構成を有する保護カバー１は、上部開口２２に排水筒３及びレリーズホルダ１４の嵌合部１６を挿通させると共に係止片２１をレリーズホルダ１４の基部１５の上面に載置するようにして排水筒３に装着されるものである。このとき、保護カバー１は排水筒３に対して排水筒３の軸周り方向に回転自在に取り付けられており、上記保護カバー１を排水筒３の軸周りに回転させて保護カバー１に設けた切欠部８を操作部７の位置する方向に向け、保護カバー１と排水筒３との間にパッキン１８を配設し、保護カバー１を排水筒３にネジ（図示せず）等の固着具を介して装着しているものである。
【００１７】
排水筒３の底部では上述したようにレリーズワイヤ２が導出しているものであるので、この排水筒３の底部に装着した保護カバー１は上記レリーズワイヤ２の排水筒３の底部から導出した部分の周囲を覆うものであり、また、上記保護カバー１の側面に設けられた切欠部８に排水筒３の底部から導出されたレリーズワイヤ２を挿通する。そして、上記切欠部８ではレリーズワイヤ２は嵌合固定され、上記切欠部８から突出したレリーズワイヤ２は操作部７に向って延伸している。
【００１８】
上記のように、保護カバー１を排水筒３の底部に装着して上記レリーズワイヤ２の排水筒３の底部から導出した部分の周囲を覆うと共に、上記保護カバー１の側面からレリーズワイヤ２を突出させたことで、洗面台ユニットが施工現場や搬送現場で床面に排水筒３を下方に位置させて直置きされたとしても、レリーズワイヤ２の排水筒３の底部から導出した部分の周囲を保護カバー１が覆うと共に上記保護カバー１の側面から上記レリーズワイヤ２が突出していることから、保護カバー１が床面に直接接触し、レリーズワイヤ２が床面と排水筒３の底部との間に挟まることを防ぐものであり、レリーズワイヤ２が折れ曲がったりすることを回避することができるものである。また、洗面台ユニットに設けた操作部７の位置が任意位置であっても、保護カバー１は排水筒３に対して排水筒３の軸周り方向に回転自在に取り付けられるものであり、保護カバー１を排水筒３に対して排水筒３の軸周りに回転させて上記操作部７の任意位置の方向に切欠部８を合わせることができるものであり、切欠部８に嵌合固定されたレリーズワイヤ２にねじれ等の無理を生じさせるのを回避することができるものである。
【００２３】
【発明の効果】
上記のように本発明の請求項１記載の洗面台ユニットにあっては、洗面ボウルの底部に排水孔を設け、上記排水孔の下方に有底筒状の排水筒を垂下し、排水孔に排水孔を開閉するケレップを設け、上記ケレップを上下動させるレリーズワイヤを排水筒の底部から導出すると共に洗面ボウルの周縁に配設した操作部に連結して形成した洗面台ユニットにおいて、上記レリーズワイヤの排水筒の底部から導出した部分の周囲を覆う筒状の保護カバーを排水筒の軸周りに回転自在に設けると共に、保護カバーの側面に設けた切欠部にレリーズワイヤを嵌合固定させて保護カバーの側面からレリーズワイヤが突出したので、洗面台ユニットを施工現場や搬送現場で床面に排水筒を下方に位置させて直置きしたとしても、レリーズワイヤの排水筒の底部から導出した部分の周囲を保護カバーが覆うと共に上記保護カバーの側面から上記レリーズワイヤが突出していることから、保護カバーが床面に直接接触し、レリーズワイヤが床面と排水筒の底部との間に挟まることを防ぐものであり、レリーズワイヤが折れ曲がって洗面台ユニットを破損することを回避することができるものであり、また、保護カバーの側面にレリーズワイヤを嵌合固定させる切欠部を設けたことから、洗面台ユニットを搬送する際にレリーズワイヤが邪魔にならないような位置に固定することができるものであり、また、保護カバーを排水筒軸周りに回転自在にしたことから、洗面台ユニットに設けた操作部の位置が任意位置に配置されたものであっても、保護カバーを排水筒に対して排水筒の軸周りに回転させ、上記操作部の任意位置の方向に切欠部を合わせることができるものであり、切欠部に嵌合固定して操作部に連結したレリーズワイヤにねじれ等の無理を生じさせるのを回避することができるものである。
【図面の簡単な説明】
【図１】  本発明の実施の形態の例の洗面台ユニットの一部を示す一部切欠側面図である。
【図２】  同上の保護カバーを示すものであり、（ａ）は上面図であり、（ｂ）は（ａ）のＡ−Ａ線断面図である。
【図３】  従来技術の例の洗面台ユニットを示すものであり（ａ）は正面図であり、（ｂ）は側面図である。
【符号の説明】
１ 保護カバー
２ レリーズワイヤ
３ 排水筒
４ 洗面ボウル
５ 排水孔
６ ケレップ
７ 操作部
８ 切欠部
【図１】
0003669257.tif 000002
【図２】
0003669257.tif 000003
【図３】
0003669257.tif 000004